(57)【要約】【課題】様々な情報をユーザに容易かつ確実に通知することを可能とし、且つ、装置の消費電力を低減することを可能にする技術を提供する。【解決手段】本発明の通信装置は、受信した情報を第１記憶部に記録する装置であり、且つ、前記第１記憶部に記録された情報をユーザに通知可能な装置である外部装置に、直接的または間接的にデータを送信する送信手段と、前記通信装置の電源の状態を制御する制御手段と、を有し、前記送信手段は、前記制御手段によって前記通信装置の電源がＯＮの状態からＯＦＦの状態に切り替わる際に、所定の情報を前記外部装置に送信する。【選択図】図４
2017092865.tif 000002
【特許請求の範囲】
【請求項１】
通信装置であって、
受信した情報を第１記憶部に記録する装置であり、且つ、前記第１記憶部に記録された情報をユーザに通知可能な装置である外部装置に、直接的または間接的にデータを送信する送信手段と、
前記通信装置の電源の状態を制御する制御手段と、
を有し、
前記送信手段は、前記制御手段によって前記通信装置の電源がＯＮの状態からＯＦＦの状態に切り替わる際に、所定の情報を前記外部装置に送信する
ことを特徴とする通信装置。
【請求項２】
前記所定の情報は、前記通信装置の電源がＯＦＦの状態にある期間において変化しない情報を含む
ことを特徴とする請求項１に記載の通信装置。
【請求項３】
前記所定の情報は、前記電源に関する情報を含む
ことを特徴とする請求項１または２に記載の通信装置。
【請求項４】
前記電源はバッテリであり、
前記所定の情報は、バッテリ残量を示す情報を含む
ことを特徴とする請求項３に記載の通信装置。
【請求項５】
データを第２記憶部に記録する記録手段をさらに有し、
前記所定の情報は、前記第２記憶部に関する情報を含む
ことを特徴とする請求項１〜４のいずれか１項に記載の通信装置。
【請求項６】
前記所定の情報は、前記第２記憶部の残容量を示す情報を含む
ことを特徴とする請求項５に記載の通信装置。
【請求項７】
撮影を行う撮影手段をさらに有し、
前記記録手段は、前記撮影によって生成された画像を前記第２記憶部に記録し、
前記所定の情報は、前記第２記憶部の残容量に応じた静止画像の枚数を示す情報と、前記第２記憶部の残容量に応じた動画像の時間を示す情報との少なくとも一方を含む
ことを特徴とする請求項５または６に記載の通信装置。
【請求項８】
現在日時を検出する第１検出手段をさらに有し、
前記送信手段は、前記所定の情報を前記外部装置に送信する際に、現在日時を示す情報と、前記所定の情報の最終更新日時を示す情報との少なくとも一方を前記外部装置にさらに送信する
ことを特徴とする請求項１〜７のいずれか１項に記載の通信装置。
【請求項９】
前記所定の情報の変化を検出する第２検出手段をさらに有し、
前記通信装置の電源がＯＦＦの状態は、前記送信手段による送信が実行不可能で、且つ、前記第２検出手段による検出が実行可能な状態であり、
前記通信装置の電源がＯＦＦの状態にある期間において、前記第２検出手段により前記所定の情報の変化が検出された場合に、前記制御手段は、前記電源の状態を、一時的に、前記送信手段による送信が実行可能な状態である送信可能状態に制御し、
前記送信手段は、前記電源の状態が前記一時的な送信可能状態である期間において、変化後の所定の情報を前記外部装置に送信する
ことを特徴とする請求項１〜８のいずれか１項に記載の通信装置。
【請求項１０】
前記通信装置は、自動車の車載装置であり、
前記所定の情報は、前記自動車のガソリンの残量を示す情報を含む
ことを特徴とする請求項１〜９のいずれか１項に記載の通信装置。
【請求項１１】
放送番組の録画予約を行う予約手段をさらに有し、
前記所定の情報は、録画予約の状況を示す情報を含む
ことを特徴とする請求項１〜１０のいずれか１項に記載の通信装置。
【請求項１２】
通信装置と、前記通信装置の外部装置とを有するシステムであって、
前記外部装置は、
受信した情報を第１記憶部に記録する記録手段と、
前記第１記憶部に記録された情報をユーザに通知する通知手段と、
を有し、
前記通信装置は、
前記外部装置に直接的または間接的にデータを送信する送信手段と、
前記通信装置の電源の状態を制御する制御手段と、
を有し、
前記送信手段は、前記制御手段によって前記通信装置の電源がＯＮの状態からＯＦＦの状態に切り替わる際に、所定の情報を前記外部装置に送信する
ことを特徴とするシステム。
【請求項１３】
通信装置の制御方法であって、
受信した情報を第１記憶部に記録する装置であり、且つ、前記第１記憶部に記録された情報をユーザに通知可能な装置である外部装置に、直接的または間接的にデータを送信する送信ステップと、
前記通信装置の電源の状態を制御する制御ステップと、
を有し、
前記送信ステップでは、前記通信装置の電源がＯＮの状態からＯＦＦの状態に切り替わる際に、所定の情報を前記外部装置に送信する
ことを特徴とする通信装置の制御方法。
【請求項１４】
コンピュータを請求項１乃至１１のいずれか一項に記載の通信装置の各手段として機能させることを特徴とするプログラム。
【発明の詳細な説明】
【技術分野】
【０００１】
本発明は、通信装置に関する。
【背景技術】
【０００２】
近年、スマートフォンのように、ユーザが持ち歩くことができる無線通信機器が増えている。また、スマートウォッチのように、ユーザが身に付けることができる無線通信機器も普及してきている。ユーザが身に付けることができる無線通信機器は、「ウェアラブル機器」と呼ばれる。無線通信機器間における無線通信により、ユーザにとって利益となる情報を１つの無線通信機器に集めることができる。それにより、ユーザが１つの無線通信機器で様々な情報を確認することが可能となる。例えば、ユーザにとって利益となる情報をスマートフォンやスマートウォッチに集めることにより、ユーザがスマートフォンやスマートウォッチで様々な情報を用意に確認することが可能となる。
【０００３】
無線通信機器間における無線通信に関する技術は、例えば、特許文献１に開示されている。特許文献１に開示の技術では、小型電子機器が、小型電子機器の電池容量に関する情報を外部機器に送信し、外部機器が、小型電子機器から受信した情報に基づいて、小型電子機器の電池容量に関する表示を行う。
【０００４】
しかしながら、特許文献１に開示の技術では、ユーザが小型電子機器の情報を外部機器で確認できないことがある。具体的には、特許文献１に開示の技術では、小型電子機器と外部機器との間の通信が可能である場合に限って、外部機器は、小型電子機器の情報を受信し、受信した情報を表示する。そのため、特許文献１に開示の技術では、小型電子機器と外部機器との間の通信が不可能である場合に、外部機器は小型電子機器の情報を表示できず、ユーザは小型電子機器の情報を外部機器で確認できない。一般的に、或る通信装置Ａの電源が落とされると、通信装置Ａは他の通信装置Ｂから切断され、通信装置Ａと通信装置Ｂとの間の通信は不可能となる。そのため、特許文献１に開示の技術では、小型電子機器の電源が落とされている期間において、外部機器は小型電子機器の情報を表示できず、ユーザは小型電子機器の情報を外部機器で確認できない。
【０００５】
なお、電源が落とされている状態において、わずかな電力を使用することで、外部装置との通信が可能な状態を維持する通信装置も存在する。しかしながら、そのような通信装置では「電源が落とされている状態であるにも拘らず徐々に電力が消費される」という課題が生じる。
【先行技術文献】
【特許文献】
【０００６】
【特許文献１】特開２００３-１５３４５３号公報
【発明の概要】
【発明が解決しようとする課題】
【０００７】
本発明は、様々な情報をユーザに容易かつ確実に通知することを可能とし、且つ、装置の消費電力を低減することを可能にする技術を提供することを目的とする。
【課題を解決するための手段】
【０００８】
本発明の第１の態様は、
通信装置であって、
受信した情報を第１記憶部に記録する装置であり、且つ、前記第１記憶部に記録された
情報をユーザに通知可能な装置である外部装置に、直接的または間接的にデータを送信する送信手段と、
前記通信装置の電源の状態を制御する制御手段と、
を有し、
前記送信手段は、前記制御手段によって前記通信装置の電源がＯＮの状態からＯＦＦの状態に切り替わる際に、所定の情報を前記外部装置に送信する
ことを特徴とする通信装置である。
【０００９】
本発明の第２の態様は、
通信装置と、前記通信装置の外部装置とを有するシステムであって、
前記外部装置は、
受信した情報を第１記憶部に記録する記録手段と、
前記第１記憶部に記録された情報をユーザに通知する通知手段と、
を有し、
前記通信装置は、
前記外部装置に直接的または間接的にデータを送信する送信手段と、
前記通信装置の電源の状態を制御する制御手段と、
を有し、
前記送信手段は、前記制御手段によって前記通信装置の電源がＯＮの状態からＯＦＦの状態に切り替わる際に、所定の情報を前記外部装置に送信する
ことを特徴とするシステムである。
【００１０】
本発明の第３の態様は、
通信装置の制御方法であって、
受信した情報を第１記憶部に記録する装置であり、且つ、前記第１記憶部に記録された情報をユーザに通知可能な装置である外部装置に、直接的または間接的にデータを送信する送信ステップと、
前記通信装置の電源の状態を制御する制御ステップと、
を有し、
前記送信ステップでは、前記通信装置の電源がＯＮの状態からＯＦＦの状態に切り替わる際に、所定の情報を前記外部装置に送信する
ことを特徴とする通信装置の制御方法である。
【００１１】
本発明の第４の態様は、コンピュータを上述した通信装置の各手段として機能させることを特徴とするプログラムである。
【発明の効果】
【００１２】
本発明によれば、様々な情報をユーザに容易かつ確実に通知することが可能となり、且つ、装置の消費電力を低減することが可能となる。
【図面の簡単な説明】
【００１３】
【図１】実施例１に係るデジタルカメラの構成例を示すブロック図
【図２】実施例１に係るウェアラブル機器の構成例を示すブロック図
【図３】実施例１に係るシステムの構成例を示す模式図
【図４】実施例１に係るシステムの処理フローの一例を示すフロー図
【図５】実施例１に係るウェアラブル機器の処理フローの一例を示すフロー図
【図６】実施例１に係るウェアラブル機器の表示状態一例を示す図
【図７】実施例２に係るスマートフォンの構成例を示すブロック図
【図８】実施例２に係るシステムの構成例を示す模式図
【図９】実施例２に係るシステムの処理フローの一例を示すフロー図
【図１０】実施例３に係る自動車の構成例を示すブロック図
【図１１】実施例３に係る車載装置の処理フローの一例を示すフロー図
【発明を実施するための形態】
【００１４】
＜実施例１＞
以下、本発明の実施例１について説明する。
＜＜デジタルカメラの構成＞＞
まず、本実施例に係る通信装置について説明する。本実施例では、通信装置としてデジタルカメラを使用した例を説明する。図１は、本実施例に係るデジタルカメラ１００の構成例を示すブロック図である。なお、通信装置はデジタルカメラに限られない。通信装置は、外部装置との通信（無線通信または有線通信）を行うことのできる装置であればよい。例えば、通信装置として、携帯型のメディアプレーヤ、タブレットデバイス、パーソナルコンピュータ、録画機器、歩数計、等が使用されてもよい。
【００１５】
制御部１０１は、制御部１０１に入力された信号、後述のプログラム、等に従って、デジタルカメラ１００の各機能部の処理を制御する。なお、制御部１０１として、１つのハードウェアが使用されてもよいし、複数のハードウェアが使用されてもよい。複数のハードウェアが処理を分担して実行することにより、デジタルカメラ１００の処理が制御されてもよい。
【００１６】
撮影部１０２は、撮影を行うことにより、画像データを生成する。具体的には、撮影部１０２は、撮影部１０２に含まれるレンズによって結像された光（被写体光）を電気信号に変換し、電気信号にノイズ低減処理などを施す。それにより、デジタルデータが、画像データとして生成される。撮影部１０２は、撮影した画像データ（撮影画像データ）を出力する。撮影画像データは、バッファメモリに蓄えられた後、制御部１０１により記録媒体１１０（第２記憶部）に記録される。制御部１０１は、撮影画像データをそのまま記録媒体１１０に記録することができる。また、制御部１０１は、撮影画像データに所定の処理を施した後、所定の処理が施された後の撮影画像データを記録媒体１１０に記録することもできる。
【００１７】
不揮発性メモリ１０３は、種々のデータを電気的に記憶可能なメモリである。制御部１０１は、不揮発性メモリ１０３にデータを記録したり、不揮発性メモリ１０３からデータを消去したり、不揮発性メモリ１０３からデータを読み出したりすることができる。不揮発性メモリ１０３には、例えば、制御部１０１によって実行されるプログラム等が記録される。
【００１８】
作業用メモリ１０４は、種々のデータを電気的に記憶可能なメモリである。作業用メモリ１０４は、撮影部１０２によって生成された撮影画像データを一時的に記憶するバッファメモリ、表示部１０６の処理（画像表示）用のワークメモリ、制御部１０１の処理用のワークメモリ、等として使用される。
【００１９】
操作部１０５は、デジタルカメラ１００に対するユーザ操作を受け付ける。操作部１０５は、ユーザ操作に応じた操作信号を制御部１０１に出力する。そして、制御部１０１は、操作信号に応じた処理を行う。即ち、制御部１０１は、デジタルカメラ１００に対するユーザ操作に応じた処理を行う。操作部１０５としては、例えば、電源スイッチ、レリーズスイッチ、再生ボタン、等の操作部材が使用される。また、操作部１０５として、表示部１０６に形成されたタッチパネルを使用することもできる。
【００２０】
ユーザによって電源スイッチが押下される度に、制御部１０１は、デジタルカメラ１００の電源の状態を、ＯＮ状態とＯＦＦ状態の間で切り替える。ＯＮ状態は、デジタルカメ
ラ１００の電源が入っている状態であり、例えば、デジタルカメラ１００の全ての動作が実現可能に、デジタルカメラ１００の各機能部への電力供給が行われている状態である。ＯＦＦ状態は、デジタルカメラ１００の電源が落とされている状態であり、例えば、デジタルカメラ１００の各機能部への電力供給が停止されている状態である。
【００２１】
なお、ＯＦＦ状態は、デジタルカメラ１００の一部の動作のみが実現可能に、デジタルカメラ１００の各機能部への電力供給が行われている状態であってもよい。ＯＦＦ状態は、いわゆるスタンバイ状態であってもよい。そのため、ＯＦＦ状態は、「ＯＮ状態に比べデジタルカメラ１００の消費電力が低い状態」と言える。
【００２２】
なお、デジタルカメラ１００の電源の状態の制御方法は、上記方法に限られない。例えば、制御部１０１は、デジタルカメラ１００に対するユーザ操作が所定時間行われなかったことに応じて、デジタルカメラ１００の電源状態をＯＮ状態からＯＦＦ状態に切り替わるように制御してもよい。制御部１０１は、デジタルカメラ１００に対するユーザ操作が行われたことに応じて、デジタルカメラ１００の電源状態をＯＦＦ状態からＯＮ状態に切り替わるように制御してもよい。この場合、ユーザ操作は、電源スイッチの押下に限られない。
【００２３】
レリーズスイッチの押下に応じて、制御部１０１から撮影部１０２に指示が送られ、撮影部１０２によって撮影が行われる。レリーズスイッチは、スイッチＳＷ１とスイッチＳＷ２を有する。レリーズスイッチの状態が、いわゆる半押し状態となると、スイッチＳＷ１が押下される。スイッチＳＷ１が押下されると、ＡＦ（オートフォーカス）処理、ＡＥ（自動露出）処理、ＡＷＢ（オートホワイトバランス）処理、ＥＦ（フラッシュプリ発光）処理、等の撮影準備の実行が、制御部１０１から撮影部１０２に指示される。そして、撮影部１０２は、制御部１０１からの指示に応じて撮影準備を行う。レリーズスイッチの状態が、いわゆる全押し状態となると、スイッチＳＷ２が押下される。スイッチＳＷ２が押下されると、撮影の実行が制御部１０１から撮影部１０２に指示される。そして、撮影部１０２は、制御部１０１からの指示に応じて撮影を行う。
【００２４】
再生ボタンの押下に応じて、制御部１０１は、撮影画像データの再生のための処理を行う。それにより、撮影画像データに基づく画像が、表示部１０６に表示される（再生）。
【００２５】
表示部１０６は、画面に画像を表示する。表示部１０６は、撮影画像データに基づく画像の表示、対話的な操作のためのグラフィック画像（文字、アイコン、等）の表示、等を行う。また、表示部１０６は、撮影対象を表す画像を撮影時に表示することもある。即ち、表示部１０６は、電子ビューファインダとして使用されることもある。なお、表示部１０６として、デジタルカメラ１００とは別体の表示装置が使用されてもよい。デジタルカメラ１００は、表示部１０６の表示を制御する表示制御機能を有していればよい。
【００２６】
電源制御部１０７は、電源部１０８の装着の有無、電源部１０８の種類、電源部１０８（バッテリ）のバッテリ残量、等を検出し、検出結果を制御部１０１に通知する。また、電源制御部１０７は、制御部１０１からの指示に応じて、電源部１０８からデジタルカメラ１００の機能部への電力供給を行ったり停止したりする。
【００２７】
電源部１０８は、デジタルカメラ１００の電源である。電源部１０８としては、バッテリ、ＡＣアダプタ、等を使用することができる。バッテリとしては、一次電池、二次電池、等を使用することができる。一次電池としては、アルカリ電池、リチウム電池、等を使用することができ、二次電池としては、ＮｉＣｄ電池、ＮｉＭＨ電池、Ｌｉ電池、等を使用することができる。
【００２８】
記録媒体Ｉ／Ｆ１０９は、制御部１０１からの指示に応じて、記録媒体１１０にアクセスするインタフェースである。具体的には、記録媒体Ｉ／Ｆ１０９は、制御部１０１からの指示に応じて、記録媒体１１０にデータを記録したり、記録媒体１１０からデータを消去したり、記録媒体１１０からデータを読み出したりすることができる。
【００２９】
記録媒体１１０は、種々のデータを記憶可能な記憶部（第２記憶部）である。例えば、記録媒体１１０には、撮影画像データが記録される。記録媒体１１０としては、半導体メモリ（メモリカード）、磁気ディスク（ハードディスク）、光ディスク（ＣＤ、ＤＶＤ、ブルーレイディスク）、等を使用することができる。なお、記録媒体１１０は、デジタルカメラ１００に対して着脱可能な記憶部であってもよいし、デジタルカメラ１００に内蔵された記憶部であってもよい。
【００３０】
通信部１１１は、制御部１０１からの指示に応じて、外部装置との通信を行うインタフェースである。通信部１１１は、例えば、アンテナである。デジタルカメラ１００は、通信部１１１を介して、外部装置との間のデータの送受信を行うことができる。本実施例では、デジタルカメラ１００と外部装置との間の通信として、ＩＥＥＥ８０２．１５.１規
格に従った通信（いわゆるＢｌｕｅｔｏｏｔｈ（登録商標）での通信）が行われる。なお、通信方式は、Ｂｌｕｅｔｏｏｔｈ（登録商標）に限られない。例えば、デジタルカメラ１００と外部装置との間の通信として、ＩＥＥＥ８０２．１１規格で知られる無線ＬＡＮでの通信が行われてもよいし、赤外線通信が行われてもよい。ＷｉｒｅｌｅｓｓＵＳＢでの通信が行われてもよい。通信プロトコルとして、独自のプロファイルが使用されてもよいし、そうでなくてもよい。接続対象の外部装置は、どのような方法で認証されてもよい。本実施例では、制御部１０１により、ペアリングが事前に行われ、ペアリングの結果が不揮発性メモリ１０３に記録される。そして、制御部１０１は、ペアリングの結果を不揮発性メモリ１０３から読み出して参照することで、接続対象の外部装置を認証する。ペアリングの結果は、例えば、接続対象の外部装置の固有情報である。
【００３１】
なお、デジタルカメラ１００は、外部装置との通信を行う際の通信モードとして、ペリフェラルモードとセントラルモードを有する。セントラルモードは、デジタルカメラ１００をサーバ装置として動作させる通信モードである。セントラルモードでは、例えば、デジタルカメラ１００の動作に影響するデータが、クライアント装置として動作する外部装置から受信される。ペリフェラルモードは、デジタルカメラ１００をクライアント装置として動作させる通信モードである。ペリフェラルモードでは、例えば、サーバ装置として動作する外部装置の動作に影響するデータが、当該外部装置に送信される。
【００３２】
また、制御部１０１は、外部装置との通信が実行可能な状態と、外部装置との通信が実行不可能な状態との間で、通信状態を制御することができる。外部装置との通信が実行可能な状態は、「デジタルカメラ１００の通信機能が有効な状態（通信有効状態）」とも言え、外部装置との通信が実行不可能な状態は、「デジタルカメラ１００の通信機能が無効な状態（通信無効状態）」とも言える。例えば、制御部１０１は、通信部１１１への電力供給の有無をすることにより、通信有効状態と通信無効状態の間で通信状態を制御する。具体的には、通信部１１１への電力供給を開始する制御を制御部１０１が行うと、通信部１１１への電力供給が開始され、通信無効状態から通信有効状態へ通信状態が切り替えられる。通信部１１１への電力供給を停止する制御を制御部１０１が行うと、通信部１１１への電力供給が停止され、通信有効状態から通信無効状態へ通信状態が切り替えられる。
【００３３】
＜＜ウェアラブル機器の構成＞＞
次に、本実施例に係る通信装置の外部装置について説明する。本実施例では、外部装置として、腕時計型のウェアラブル機器（スマートウォッチ）を使用した例を説明する。図２は、本実施例に係るウェアラブル機器２００の構成例を示すブロック図である。なお、
外部装置は、腕時計型のウェアラブル機器に限られない。例えば、外部装置として、ユーザが身に付けることができる他のウェアラブル機器が使用されてもよい。具体的には、外部装置として、眼鏡型のウェアラブル機器が使用されてもよい。また、外部装置は、ウェアラブル機器に限られない。例えば、外部装置として体組成計が使用されてもよい。また、外部装置として、スマートフォン、タブレットデバイス、等の情報処理装置が使用されてもよい。外部装置は、他の装置との通信（無線通信または有線通信）を行うことのできる装置であればよい。
【００３４】
制御部２０１は、制御部２０１に入力された信号、後述のプログラム、等に従って、ウェアラブル機器２００の各機能部の処理を制御する。なお、制御部２０１として、１つのハードウェアが使用されてもよいし、複数のハードウェアが使用されてもよい。複数のハードウェアが処理を分担して実行することにより、ウェアラブル機器２００の処理が制御されてもよい。
【００３５】
不揮発性メモリ２０３は、種々のデータを電気的に記憶可能なメモリである。制御部２０１は、不揮発性メモリ２０３にデータを記録したり、不揮発性メモリ２０３からデータを消去したり、不揮発性メモリ２０３からデータを読み出したりすることができる。不揮発性メモリ２０３には、例えば、制御部１０１によって実行される基本的なソフトウェアプログラムであるＯＳ（オペレーティングシステム）、ＯＳと協同して付加的な機能を実現するアプリケーションプログラム、等が記録される。本実施例では、不揮発性メモリ２０３に、アプリケーションプログラムとして、受信した情報をユーザに通知するプログラムが記録されている。このアプリケーションプログラムにより、受信した情報を記憶部（第１記憶部）に記録する装置であり、且つ、記憶部に記録された情報をユーザに通知可能な装置であるウェアラブル機器２００が実現される。
【００３６】
作業用メモリ２０４は、種々のデータを電気的に記憶可能なメモリである。作業用メモリ２０４は、表示部２０６の処理（画像表示）用のワークメモリ、制御部２０１の処理用のワークメモリ、等として使用される。
【００３７】
操作部２０５は、ウェアラブル機器２００に対するユーザ操作を受け付ける。操作部２０５は、ユーザ操作に応じた操作信号を制御部２０１に出力する。そして、制御部２０１は、操作信号に応じた処理を行う。即ち、制御部２０１は、ウェアラブル機器２００に対するユーザ操作に応じた処理を行う。操作部２０５としては、例えば、電源スイッチ、調整ボタン、等の操作部材が使用される。また、操作部２０５として、表示部２０６に形成されたタッチパネルを使用することもできる。
【００３８】
ユーザによって電源スイッチが押下される度に、制御部２０１は、ウェアラブル機器２００の電源状態を、ＯＮ状態とＯＦＦ状態の間で切り替える。また、制御部２０１は、調整ボタンの押下に応じて、ウェアラブル機器２００で使用される種々の情報を調整する。例えば、制御部２０１は、調整ボタンの押下に応じて、ウェアラブル機器２００で現在日時として使用される日時の情報を調整する。
【００３９】
表示部２０６は、画面に画像を表示する。表示部２０６は、画像データに基づく画像の表示、対話的な操作のためのグラフィック画像（文字、アイコン、等）の表示、等を行う。なお、表示部２０６として、ウェアラブル機器２００とは別体の表示装置が使用されてもよい。ウェアラブル機器２００は、表示部２０６の表示を制御する表示制御機能を有していればよい。
【００４０】
ＲＴＣ２０７は、現在日時を管理する。現在日時の設定は、操作部２０５に対するユーザ操作に応じて設定されてもよいし、自動で設定されてもよい。例えば、現在に日時の情
報が、後述する通信部２１１を介してネットワークから取得され、設定されてもよい。電波時計を用いて現在日時の情報が取得されて設定されてもよい。
【００４１】
生体情報検出部２０８は、生体情報を検出する。生体情報が検出されていることは、ユーザがウェアラブル機器２００を身に着けていることを意味する。生体情報が検出されていないことは、ユーザがウェアラブル機器２００を身に着けていないことを意味する。生体情報検出部２０８としては、例えば、脈拍を検出するセンサ、心拍を検出するセンサ、血流を検出するセンサ、等を使用することができる。また、生体情報検出部２０８として、導電性高分子が皮膚に接触することで生じた電位変化を検出するセンサを使用することもできる。
【００４２】
加速度センサ２０９は、ウェアラブル機器２００の加速度、その変化、等を検出する。
【００４３】
記録媒体２１０は、種々のデータを記憶可能な記憶部（第１記憶部）である。記録媒体２１０には、デジタルカメラ１００によって生成された撮影画像データ、デジタルカメラ１００に関する様々な情報、等が記録される。例えば、制御部２０１は、通信部１１１，２１１を介してデジタルカメラ１００からデータ（情報）を取得し、取得したデータを記録媒体２１０に記録する。または、デジタルカメラ１００の制御部１０１は、通信部１１１，２１１を介してウェアラブル機器２００にデータを送信し、記録媒体２１０にデータを記録する。記録媒体２１０へのデータの記録方法は特に限定されない。記録媒体２１０としては、半導体メモリ、磁気ディスク、光ディスク、等を使用することができる。なお、記録媒体２１０は、ウェアラブル機器２００に対して着脱可能な記憶部であってもよいし、ウェアラブル機器２００に内蔵された記憶部であってもよい。ウェアラブル機器２００は、記録媒体２１０にアクセスする機能を有していればよい。
【００４４】
通信部２１１は、制御部２０１からの指示に応じて、他の装置との通信を行うインタフェースである。通信部２１１は、例えば、アンテナである。ウェアラブル機器２００は、通信部２１１を介して、他の装置との間のデータの送受信を行うことができる。本実施例では、通信部１１１，２１１を用いて、デジタルカメラ１００とウェアラブル機器２００の間の通信が行われる。
【００４５】
＜＜システムの構成＞＞
次に、本実施例に係るシステムについて説明する。図３は、本実施例に係るシステムの構成例を示す模式図である。図３に示すように、本実施例に係るシステムは、デジタルカメラ１００とウェアラブル機器２００を有する。ユーザ３００は、デジタルカメラ１００とウェアラブル機器２００のユーザである。破線矢印３０１は、デジタルカメラ１００とウェアラブル機器２００との間の無線通信が行われている状態を示す。以後、デジタルカメラ１００とウェアラブル機器２００との間の無線通信を実行可能な状態を「システム通信有効状態」と記載し、デジタルカメラ１００とウェアラブル機器２００との間の無線通信を実行不可能な状態を「システム通信無効状態」と記載する。
【００４６】
システム通信有効状態において、ウェアラブル機器２００は、デジタルカメラ１００から情報を取得し、取得した情報をウェアラブル機器２００の表示部２０６に表示することができる。これにより、ユーザ３００は、デジタルカメラ１００を確認しなくても、手近にあるウェアラブル機器２００を確認することで、デジタルカメラ１００に関する情報を容易に知ることができる。また、ウェアラブル機器２００は、デジタルカメラ１００に撮影指示を送信することで、デジタルカメラ１００に撮影を行わせることもできる。そして、ウェアラブル機器２００は、撮影画像データをデジタルカメラ１００から取得し、撮影画像データに基づく画像を表示部２０６に表示することもできる。
【００４７】
上述したように、システム通信有効状態において、ユーザ３００は、デジタルカメラ１００に関する情報をウェアラブル機器２００で確認できる。しかし、システム通信有効状態では、システム通信無効状態に比べデジタルカメラ１００の消費電力とウェアラブル機器２００の消費電力が大きい。そのため、システム通信有効状態を維持することが好ましくない状況もある。例えば、デジタルカメラ１００を用いた撮影後、ユーザ３００は、デジタルカメラ１００の電源状態をＯＦＦ状態にし、デジタルカメラ１００を鞄にしまう、という状況が考えられる。このような状況では、一般的に、デジタルカメラ１００の消費電力を極力減らすため、通信部１１１の通信状態は通信無効状態に制御され、システムの通信状態はシステム通信無効状態となる。しかしながら、システム通信無効状態では、ウェアラブル機器２００とデジタルカメラ１００の間で情報の送受信が行えない。そのため、ユーザ３００は、デジタルカメラ１００に関する情報を確認したくても、デジタルカメラ１００に関する情報をウェアラブル機器２００で確認することはできない。
【００４８】
本実施例によれば、以下の処理により、様々な情報をユーザに容易かつ確実に通知することが可能となり、且つ、装置の消費電力を低減することが可能になる。具体的には、システム通信無効状態でも、ユーザがデジタルカメラ１００に関する情報をウェアラブル機器２００で容易に確認できるようになる。
【００４９】
＜＜処理フロー＞＞
次に、本実施例に係る処理フローについて説明する。まず、図４（Ａ）を用いて、デジタルカメラ１００の処理フローの一例について説明する。デジタルカメラ１００は、デジタルカメラ１００の電源が落とされる際に、所定の情報をウェアラブル機器２００に送信する。例えば、デジタルカメラ１００は、デジタルカメラ１００の電源を落とす指示を検知した場合に、所定の情報をウェアラブル機器２００に送信し、デジタルカメラ１００の電源状態をＯＦＦ状態に制御する。
【００５０】
図４（Ａ）は、デジタルカメラ１００の電源が落とされる際のデジタルカメラ１００の処理フローの一例を示す。図４（Ａ）の処理フローは、不揮発性メモリ１０３が記憶しているプログラムを制御部１０１が読み込んで実行することで、実現される。制御部１０１は、例えば、デジタルカメラ１００の電源が落とす指示を検知した場合に、図４（Ａ）の処理フローを開始する。デジタルカメラ１００の電源が落とす指示は、例えば、操作部１０５の電源スイッチを押下するユーザ操作に応じて、操作部１０５から制御部１０１に伝送される。ウェアラブル機器２００からデジタルカメラに、デジタルカメラ１００の電源が落とす指示が伝送されてもよい。
【００５１】
まず、Ｓ４００にて、制御部１０１は、システムの通信状態がシステム通信有効状態であるか否かを判断する。システムの通信状態がシステム通信有効状態であるか否かは、例えば、デジタルカメラ１００とウェアラブル機器２００との間で定期的に送受信する信号の受信状態を確認することで判断できる。システムの通信状態がシステム通信有効状態である場合には、Ｓ４０１に処理が進められ、システムの通信状態がシステム通信無効状態である場合には、Ｓ４０３に処理が進められる。
【００５２】
Ｓ４０１にて、制御部１０１は、通信部１１１を介してウェアラブル機器２００に、所定の情報を送信する。本実施例では、所定の情報は、電源部１０８に関する情報と、記録媒体１１０に関する情報とを含む。具体的には、電源部１０８はバッテリであり、所定の情報は、電源部１０８に関する情報として、電源部１０８のバッテリ残量を示す情報を含む。そして、所定の情報は、記録媒体１１０に関する情報として、記録媒体１１０の残容量を示す情報と、記録媒体１１０の残容量に応じた静止画像の枚数を示す情報とを含む。記録媒体１１０の残容量に応じた静止画像の枚数は、「撮影可能な静止画像の残り枚数」、「記録媒体１１０に対して記録可能な静止画像の残り枚数」、等とも言える。
【００５３】
なお、所定の情報は、上記情報に限られない。例えば、所定の情報は、上述した複数の情報の一部または全部を含んでいなくてもよい。所定の情報は、記録媒体１１０に関する情報として、記録媒体１１０の残容量に応じた動画像の時間を示す情報を含んでいてもよい。所定の情報は、撮影画像データに付加する著作権情報として設定された情報、撮影パラメータ（シャッタースピード、絞り値、ＩＳＯ感度、等）、撮影時の画像処理で使用されるパラメータ、等を含んでいてもよい。所定の情報は、デジタルカメラ１００の機種情報、デジタルカメラ１００のシリアル番号、等の識別情報を含んでいてもよい。所定の情報に含まれた識別情報から、ウェアラブル機器２００は、所定の情報を送信したデジタルカメラ１００を特定することができる。所定の情報は、１種類の情報を含んでいてもよいし、複数種類の情報を含んでいてもよい。
【００５４】
所定の情報は、少なくともシステム通信無効状態の期間においてユーザに通知される。そのため、所定の情報は、システム通信無効状態の期間において変化しない情報を含むことが好ましい。具体的には、所定の情報は、デジタルカメラ１００の電源が落とされている期間において変化しない情報を含むことが好ましい。そのような情報を所定の情報として使用することにより、ウェアラブル機器２００は、デジタルカメラ１００に関する情報を通信により更新できなくても、正確な情報をユーザに通知することができる。
【００５５】
Ｓ４０２にて、制御部１０１は、ウェアラブル機器２００との通信を終了する。換言すれば、制御部１０１は、デジタルカメラ１００をウェアラブル機器２００から切断する。その後、Ｓ４０４に処理が進められる。
【００５６】
Ｓ４０３にて、制御部１０１は、通信部１１１の通信状態が通信有効状態であるか否かを判断する。通信部１１１の通信状態が通信有効状態である場合には、Ｓ４０４に処理が進められる。通信部１１１の通信状態が通信無効状態である場合には、Ｓ４０５に処理が進められる。
【００５７】
Ｓ４０４にて、制御部１０１は、通信部１１１の通信状態を通信有効状態から通信無効状態に制御する。例えば、制御部１０１は、通信部１１１への電力供給の停止を、電源制御部１０７に指示する。それにより、通信部１１１への電力供給が停止され、通信部１１１の通信状態が通信有効状態から通信無効状態に変化する。Ｓ４０４の処理により、デジタルカメラ１００はウェアラブル機器２００と通信できなくなる。その後、Ｓ４０５に処理が進められる。
【００５８】
Ｓ４０５にて、制御部１０１は、デジタルカメラ１００の電源状態をＯＮ状態からＯＦＦ状態に制御する。例えば、制御部１０１は、デジタルカメラ１００の全ての機能部への電力供給の停止を、電源制御部１０７に指示する。それにより、デジタルカメラ１００の全ての機能部への電力供給が停止され、デジタルカメラ１００の電源状態がＯＮ状態からＯＦＦ状態に変わる。デジタルカメラ１００の全ての機能部への電力供給が停止されることにより、デジタルカメラ１００では、わずかな自然放電を除き電力の消費は発生しない。そのため、デジタルカメラ１００の電源状態がＯＦＦ状態である期間において、電源部１０８のバッテリ残量は不変といえる。
【００５９】
次に、図４（Ｂ）を用いて、ウェアラブル機器２００の処理フローの一例について説明する。図４（Ｂ）は、ウェアラブル機器２００がデジタルカメラ１００から所定の情報を受信する際のウェアラブル機器２００の処理フローの一例を示す。図４（Ｂ）の処理フローは、不揮発性メモリ２０３が記憶しているプログラムを制御部２０１が読み込んで実行することで、実現される。なお、図４（Ｂ）の処理フローの開始時において、システムの通信状態がシステム通信有効状態であるとする。即ち、通信部１１１，２１１の通信状態
が通信有効状態であるとする。
【００６０】
まず、Ｓ４５０にて、制御部２０１は、デジタルカメラ１００からの情報（所定の情報）を待つ。そして、通信部１１１，２１１を介してデジタルカメラ１００からウェアラブル機器２００に所定の情報が送信されると、Ｓ４５１に処理が進められる。即ち、図４（Ａ）のＳ４０１にてデジタルカメラ１００の通信部１１１から送信された所定の情報を、ウェアラブル機器２００の通信部２１１が受信すると、Ｓ４５１に処理が進められる。
【００６１】
Ｓ４５１にて、制御部２０１は、Ｓ４５０にて受信された所定の情報を、記録媒体２１０に記録する。デジタルカメラ１００に関する情報が記録媒体２１０に既に記録されている場合には、デジタルカメラ１００に関する情報が、Ｓ４５０にて受信された所定の情報に更新されるように、記録媒体２１０に所定の情報が記録される。Ｓ４５０にて受信された所定の情報が追加されるように、記録媒体２１０に所定の情報が記録されてもよい。
【００６２】
次に、Ｓ４５２にて、制御部２０１は、日時を示す情報（日時情報）を、Ｓ４５１にて記録された所定の情報に関連付けて、記録媒体２１０に記録する。本実施例では、日時情報は、ＲＴＣ２０７から取得される。日時情報が示す日時は、例えば、Ｓ４５０にて所定の情報が受信された時刻（受信時刻）、Ｓ４５１にて所定の情報が記録された時刻（記録時刻）、現在日時、等である。日時情報は、１つの日時を示す情報であってもよいし、複数の日時を示す情報であってもよい。
【００６３】
なお、デジタルカメラ１００が、現在日時を検出する検出部（第１検出部）を有していてもよい。そして、制御部１０１が、通信部１１１を介してウェアラブル機器２００に所定の情報を送信する際に、第１検出部によって検出された日時を示す日時情報を、通信部１１１を介してウェアラブル機器２００にさらに送信してもよい。その場合には、Ｓ４５１にて、制御部２０１は、デジタルカメラ１００から送信された日時情報を、所定の情報に関連付けて記録媒体２１０に記録してもよい。デジタルカメラ１００から送信された日時情報は、例えば、現在日時（所定の情報や日時情報の送信日時）と、所定の情報の最終更新日時との少なくとも一方を示す。
【００６４】
次に、図５を用いて、ウェアラブル機器２００の処理フローの一例について説明する。図５は、ウェアラブル機器２００がデジタルカメラ１００に関する情報をユーザに通知する際のウェアラブル機器２００の処理フローの一例を示す。図５の処理フローは、不揮発性メモリ２０３が記憶しているプログラムを制御部２０１が読み込んで実行することで、実現される。制御部２０１は、例えば、デジタルカメラ１００に関する情報をユーザに通知する指示を検知した場合に、図５の処理フローを開始する。デジタルカメラ１００に関する情報をユーザに通知する指示は、例えば、操作部２０５に対するユーザ操作に応じて、操作部２０５から制御部２０１に伝送される。
【００６５】
まず、Ｓ５００にて、制御部２０１は、システムの通信状態がシステム通信有効状態であるか否かを判断する。システムの通信状態がシステム通信有効状態である場合には、Ｓ５０１〜Ｓ５０４の処理が行われ、システムの通信状態がシステム通信無効状態である場合には、Ｓ５０５〜Ｓ５０７の処理が行われる。
【００６６】
Ｓ５０１〜Ｓ５０４の処理について説明する。Ｓ５０１にて、制御部２０１は、通信部２１１を介してデジタルカメラ１００から情報（デジタルカメラ１００に関する情報）を取得する。具体的には、制御部２０１は、通信部２１１を介してデジタルカメラ１００に、情報の送信を指示する。制御部１０１は、制御部２０１からの指示（情報の送信の指示）に応じて、通信部１１１を介してウェアラブル機器２００に情報を送信する。そして、制御部２０１は、制御部１０１から送信された情報を、通信部２１１を介してデジタルカ
メラ１００から受信する。
【００６７】
なお、Ｓ５０１にて取得される情報の種類は、図４（Ａ）のＳ４０１にて制御部１０１から送信される所定の情報の種類と同じであってもよいし、所定の情報の種類と異なっていてもよい。Ｓ５０１にて取得される情報は、所定の情報の種類と同じ種類の情報を含んでいてもよいし、所定の情報の種類と同じ種類の情報を含んでいなくてもよい。所定の情報が複数の種類の情報を含む場合、Ｓ５０１にて取得される情報は、所定の情報の一部の種類の情報を含んでいてもよいし、所定の情報の全ての種類の情報を含んでいてもよいし、所定の情報の全ての種類の情報を含んでいなくてもよい。
【００６８】
次に、Ｓ５０２にて、制御部２０１は、Ｓ５０１にて取得した情報をユーザに通知する。本実施例では、画像表示によって情報がユーザに通知される。具体的には、制御部２０１は、Ｓ５０１にて取得した情報に基づく画像の表示を、表示部２０６に指示する。それにより、Ｓ５０１にて取得した情報に基づく画像が、表示部２０６の画面に表示される。なお、ユーザへの情報の通知は、画像表示に限られない。例えば、ユーザへの情報の通知は、音声出力、ランプの点灯、等によって実現されてもよい。
【００６９】
そして、Ｓ５０３にて、制御部２０１は、Ｓ５０１にて取得した情報を、記録媒体２１０に記録する。なお、所定の情報の種類と同じ種類の情報のみが、記録媒体２１０に記録されてもよい。デジタルカメラ１００に関する情報が記録媒体２１０に既に記録されている場合には、デジタルカメラ１００に関する情報が、Ｓ５０１にて取得された情報に更新されるように、記録媒体２１０に情報が記録される。Ｓ５０１にて取得された情報が追加されるように、記録媒体２１０に情報が記録されてもよい。
【００７０】
次に、Ｓ５０４にて、制御部２０１は、日時情報を、Ｓ５０３にて記録された情報に関連付けて、記録媒体２１０に記録する。その後、本処理フローが終了される。Ｓ５０４の処理で使用される日時情報は、図４（Ｂ）のＳ４５２の処理で使用される日時情報と同様に、特に限定されない。
【００７１】
Ｓ５０５〜Ｓ５０７の処理について説明する。Ｓ５０５にて、制御部２０１は、デジタルカメラ１００に関する情報（所定の情報を含む）を記録媒体２１０が記憶しているか否かを判断する。デジタルカメラ１００に関する情報を記録媒体２１０が記憶している場合には、Ｓ５０６に処理が進められ、デジタルカメラ１００に関する情報を記録媒体２１０が記憶していない場合には、Ｓ５０７に処理が進められる。
【００７２】
Ｓ５０６にて、制御部２０１は、デジタルカメラ１００に関する情報を記録媒体２１０から読み出し、読み出した情報をユーザに通知する。Ｓ５０６では、Ｓ５０１と同様に、表示部２０６を用いた画像表示により、情報がユーザに通知される。その後、本処理フローが終了される。
【００７３】
なお、デジタルカメラ１００に関する複数の情報を記録媒体２１０が記憶している場合には、当該複数の情報のうち、一部の情報が、記録媒体２１０から読み出されてユーザに通知されてもよいし、そうでなくてもよい。デジタルカメラ１００に関する全ての情報が、記録媒体２１０から読み出されてユーザに通知されてもよい。デジタルカメラ１００に関する１つの情報が、記録媒体２１０から読み出されてユーザに通知されてもよいし、デジタルカメラ１００に関する複数の情報が、記録媒体２１０から読み出されてユーザに通知されてもよい。デジタルカメラ１００に関する複数の情報は、更新履歴をユーザが把握可能に通知されてもよいし、そうでなくてもよい。デジタルカメラ１００に関する複数の情報うち、関連付けられた日時情報が示す日時が最も新しい情報のみが、記録媒体２１０から読み出されてユーザに通知されてもよい。Ｓ５０６にて、制御部２０１は、読み出し
た情報に関連付けられた日時情報をユーザにさらに通知してもよい。
【００７４】
Ｓ５０７にて、制御部２０１は、デジタルカメラ１００に関する情報が存在しないことをユーザに通知する。Ｓ５０７では、Ｓ５０１と同様に、表示部２０６を用いた画像表示により、情報がユーザに通知される。その後、本処理フローが終了される。
【００７５】
図６は、ウェアラブル機器２００の表示部２０６の表示状態一例を示す図である。図６の例では、デジタルカメラ１００に関する情報を表すグラフィック画像（ＧＵＩ；Ｇｒａｐｈｉｃａｌ  Ｕｓｅｒ  Ｉｎｔｅｒｆａｃｅ）が、表示部２０６の画面に表示されている。図６に示す画像表示は、図５のＳ５０２またはＳ５０６にて行われる。
【００７６】
図６において、表示領域６００には、表示された情報に対応する通信装置を示す識別情報が表示される。ユーザは、表示領域６００を確認することで、表示された情報に対応する通信装置を把握（識別）することができる。図６の例では、デジタルカメラ１００の名称である「Ｃａｍｅｒａ１００」が表示されている。識別情報としては、通信装置の機種名、通信装置のシリアル番号、通信装置のＳＳＩＤ、等を使用することができる。識別情報として、通信開始時に通信装置に対して自動的に割り振られる名称、ユーザが通信装置に対して自由に設定した文字列、等を使用することもできる。識別情報として、文字列でなくグラフィック画像（アイコン等）が表示されてもよい。通信装置の識別情報は、通信装置の外部装置によって設定されてもよいし、通信装置によって設定されてもよい。通信装置の識別情報が通信装置によって設定される場合には、識別情報は、通信装置から外部装置へ送られる。通信装置の識別情報が外部装置によって設定される場合には、通信装置から外部装置への識別情報の送信は不要である。
【００７７】
表示領域６０１には、表示された情報に対応する通信装置と、自装置との間の通信状態を示す情報が表示される。ユーザは、表示領域６０１を確認することで、表示された情報に対応する通信装置と、自装置との間の通信状態を把握することができる。図６の例では、デジタルカメラ１００とウェアラブル機器２００との間の通信状態がシステム通信無効状態であることを示す「通信なし」が表示されている。なお、通信状態の情報として、文字列でなくグラフィック画像（アイコン等）が表示されてもよい。通信状態がシステム通信有効状態であるか否かを示す情報できれば、どのような情報が使用されてもよい。
【００７８】
表示領域６０２には、表示された情報に関連付けられた日時の情報が表示される。具体的には、図４（Ｂ）のＳ４５２または図５のＳ５０４にて記録媒体２１０に記録された情報が表示される。ユーザは、表示領域６０２を確認することで、表示された情報に関連付けられた日時を把握することができる。図６の例では、デジタルカメラ１００に関する情報として最後に記録された情報が表示される。そのため、表示領域６０２には、表示された情報に関連付けられた日時の情報が、最終更新日時の情報として表示される。
【００７９】
表示領域６０３には、通信装置に関する他の情報（上述した所定の情報等）が表示される。具体的には、図４（Ｂ）のＳ４５０または図５のＳ５０１にデジタルカメラ１００から取得された情報が表示される。ユーザは、表示領域６０３を確認することで、通信装置に関する様々な情報を把握することができる。図６の例では、デジタルカメラ１００のバッテリ残量、記録媒体１１０の残容量、及び、記録媒体１１０の残容量に応じた静止画像の枚数（撮影可能枚数）が表示されている。
【００８０】
以上述べたように、本実施例によれば、通信装置の電源が落とされる際に、通信装置から外部装置へ所定の情報が送信される。そして、外部装置では、所定の情報が記憶部に記録される。これにより、様々な情報をユーザに容易かつ確実に通知することが可能となり、且つ、装置の消費電力を低減することが可能となる。具体的には、システム通信無効状
態でも、ユーザが通信装置に関する情報を外部装置で容易に確認できるようになる。本実施例では、システム通信有効状態を維持する必要がないため、システムの消費電力を低減することができる。
【００８１】
また、本実施例によれば、通信装置に関する情報だけでなく、当該情報に関する日時（情報の更新日時など）を示す日時情報がユーザに通知される。それにより、ユーザは、通信装置に関する情報だけでなく、当該情報に関する日時を把握することができる。そして、ユーザは、通知された日時情報から、通信装置に関する情報（通知された情報）の信憑性などを判断することができる。
【００８２】
なお、本実施例では、通信装置の電源が落とされる場合と、情報送信（情報表示）の指示が行われた場合とに、通信装置から外部装置へ情報が送信される例を説明したが、通信装置に関する情報を送信するタイミングはこれらに限られない。例えば、通信装置の電源が入れられた際に、通信装置と外部装置との間の通信状態がシステム通信有効状態に制御され、通信装置から外部装置へ情報が送信されてもよい。システム通信有効状態において、所定の時間間隔で通信装置から外部装置へ情報が送信されてもよい。これにより、外部装置は、より正確な情報をユーザに通知することができる。
【００８３】
＜実施例２＞
以下、本発明の実施例２について説明する。デジタルカメラ１００の電源状態がＯＦＦ状態である期間において、所定の情報が変化することがある。例えば、デジタルカメラ１００の電源状態がＯＦＦ状態である期間において、ユーザは、デジタルカメラ１００の電源部１０８を他の電源部に交換したり、デジタルカメラ１００の記録媒体１１０を他の記録媒体に交換したりすることがある。電源部１０８が他の電源部に交換されると、バッテリ残量などが変化し、所定の情報が変化する。記録媒体１１０が他の記録媒体に交換されると、記録媒体１１０の残容量が変化し、所定の情報が変化する。しかし、実施例１では、デジタルカメラ１００の電源状態がＯＦＦ状態である期間において、デジタルカメラ１００の通信状態が常に通信無効状態とされる。そのため、実施例１では、デジタルカメラ１００の電源状態がＯＦＦ状態である期間に所定の情報が変化した場合に、ウェアラブル機器２００は、変化後の情報を取得できず、正確な情報をユーザに通知できない。本実施例では、より正確な情報をユーザに通知できる例を説明する。
【００８４】
また、実施例１では、デジタルカメラ１００がウェアラブル機器２００と直接的に通信を行う例を説明した。本実施例では、デジタルカメラ１００がウェアラブル機器２００と間接的に通信を行う例を説明する。具体的には、デジタルカメラ１００とウェアラブル機器２００と間の通信がスマートフォンを介して行われる例を説明する。なお、デジタルカメラ１００とウェアラブル機器２００との間を仲介する装置（仲介装置）は、特に限定されない。
【００８５】
なお、以下では、実施例１と異なる処理や構成について詳しく説明し、実施例１と同じ処理や構成についての説明は省略する。
【００８６】
＜＜デジタルカメラの構成＞＞
本実施例に係るデジタルカメラ１００の構成は、実施例１（図１）と同じである。但し、本実施例では、制御部１０１は、所定の情報の変化の検出（第２検出）をさらに行う。そして、制御部１０１は、デジタルカメラ１００の電源状態＝ＯＦＦ状態として、外部装置との通信が実行不可能で、且つ、所定の情報の変化の検出が実行可能な状態を実現する。具体的には、制御部１０１は、デジタルカメラ１００のＯＦＦ状態として、電源制御部１０７と記録媒体Ｉ／Ｆ１０９に対する電力供給が少なくとも行われる状態を実現する。電源制御部１０７に対する電力供給が行われることにより、制御部１０１は、デジタルカ
メラ１００の電源状態がＯＦＦ状態である期間において、電源部１０８の変更（着脱）を検出することができ、所定の情報の変化を検出することができる。記録媒体Ｉ／Ｆ１０９に対する電力供給が行われることにより、制御部１０１は、デジタルカメラ１００の電源状態がＯＦＦ状態である期間において、記録媒体１１０の変更（着脱）を検出することができ、所定の情報の変化を検出することができる。
【００８７】
＜＜ウェアラブル機器の構成＞＞
本実施例に係るウェアラブル機器２００の構成は、実施例１（図２）と同じである。
【００８８】
＜＜スマートフォンの構成＞＞
次に、本実施例に係る仲介装置について説明する。本実施例では、仲介装置として、スマートフォンを使用した例を説明する。図７は、本実施例に係るスマートフォン７００の構成例を示すブロック図である。なお、仲介装置は、スマートフォンに限られない。例えば、仲介装置として、携帯電話、デジタルカメラ、携帯型のメディアプレーヤ、等が使用されてもよい。また、外部装置として、スマートフォン、タブレットデバイス、等の情報処理装置が使用されてもよい。
【００８９】
制御部７０１は、制御部７０１に入力された信号、後述のプログラム、等に従って、スマートフォン７００の各機能部の処理を制御する。なお、制御部７０１として、１つのハードウェアが使用されてもよいし、複数のハードウェアが使用されてもよい。複数のハードウェアが処理を分担して実行することにより、スマートフォン７００の処理が制御されてもよい。
【００９０】
撮影部７０２は、撮影を行うことにより、画像データを生成する。具体的には、撮影部７０２は、撮影部７０２に含まれるレンズによって結像された光（被写体光）を電気信号に変換し、電気信号にノイズ低減処理などを施す。それにより、デジタルデータが、画像データとして生成される。撮影部７０２は、撮影した画像データ（撮影画像データ）を出力する。撮影画像データは、バッファメモリに蓄えられた後、制御部７０１により記録媒体７１０に記録される。制御部７０１は、撮影画像データをそのまま記録媒体７１０に記録することができる。また、制御部７０１は、撮影画像データに所定の処理を施した後、所定の処理が施された後の撮影画像データを記録媒体７１０に記録することもできる。
【００９１】
不揮発性メモリ７０３は、種々のデータを電気的に記憶可能なメモリである。制御部７０１は、不揮発性メモリ７０３にデータを記録したり、不揮発性メモリ７０３からデータを消去したり、不揮発性メモリ７０３からデータを読み出したりすることができる。不揮発性メモリ７０３には、例えば、制御部７０１によって実行される基本的なソフトウェアプログラムであるＯＳ、ＯＳと協同して付加的な機能を実現するアプリケーションプログラム、等が記録される。なお、本実施例で説明する処理（スマートフォン７００の処理）は、ＯＳによって実現されてもよいし、アプリケーションプログラムによって実現されてもよい。
【００９２】
作業用メモリ７０４は、種々のデータを電気的に記憶可能なメモリである。作業用メモリ７０４は、撮影部７０２によって生成された撮影画像データを一時的に記憶するバッファメモリ、表示部７０６の処理（画像表示）用のワークメモリ、制御部７０１の処理用のワークメモリ、等として使用される。
【００９３】
操作部７０５は、スマートフォン７００に対するユーザ操作を受け付ける。操作部７０５は、ユーザ操作に応じた操作信号を制御部７０１に出力する。そして、制御部７０１は、操作信号に応じた処理を行う。即ち、制御部７０１は、スマートフォン７００に対するユーザ操作に応じた処理を行う。操作部７０５としては、例えば、電源スイッチなどの操
作部材が使用される。また、操作部７０５として、表示部７０６に形成されたタッチパネルを使用することもできる。
【００９４】
表示部７０６は、画面に画像を表示する。表示部７０６は、画像データに基づく画像の表示、対話的な操作のためのグラフィック画像（文字、アイコン、等）の表示、等を行う。なお、表示部７０６として、スマートフォン７００とは別体の表示装置が使用されてもよい。スマートフォン７００は、表示部７０６の表示を制御する表示制御機能を有していればよい。
【００９５】
記録媒体７１０は、種々のデータを記憶可能な記憶部である。例えば、記録媒体７１０には、撮影部７０２によって撮影された撮影画像データが記録される。記録媒体７１０としては、半導体メモリ（メモリカード）、磁気ディスク（ハードディスク）、光ディスク（ＣＤ、ＤＶＤ、ブルーレイディスク）、等を使用することができる。なお、記録媒体７１０は、スマートフォン７００に対して着脱可能な記憶部であってもよいし、スマートフォン７００に内蔵された記憶部であってもよい。スマートフォン７００は、記録媒体７１０にアクセスする機能を有していればよい。
【００９６】
通信部７１１は、制御部７０１からの指示に応じて、他の装置との通信を行うインタフェースである。スマートフォン７００は、通信部７１１を介して、他の装置との間のデータの送受信を行うことができる。本実施例では、通信部１１１，２１１，７１１を用いて、スマートフォン７００を介したデジタルカメラ１００とウェアラブル機器２００との間の通信が行われる。
【００９７】
公衆網接続部７１２は、公衆無線通信を行う際に用いられるインタフェースである。公衆網接続部７１２を用いて他の装置との通信が行われることにより、スマートフォン７００のユーザは、他の装置のユーザと通話することができる。また、スマートフォン７００は、他の装置とのデータの送受信を行うことができる。本実施例では、公衆網接続部７１２は、３Ｇを用いた通信を行う。なお、公衆網接続部７１２の通信方式は、３Ｇに限られない。例えば、公衆網接続部７１２の通信方式は、いわゆる４Ｇといった他の通信方式であってもよい。公衆網接続部７１２の通信方式は、ＬＴＥ、ＷｉＭＡＸ、ＡＤＳＬ、ＦＴＴＨ、等であってもよい。
【００９８】
なお、公衆網接続部２１２は、通信部７１１から独立したハードウェアであってもよいし、そうでなくてもよい。例えば、１つのアンテナが、公衆網接続部２１２の機能と、通信部７１１の機能との両方を実現してもよい。
【００９９】
マイクロフォン７１３は、入力された音声を電気信号に変換する。スピーカ７１４は、入力された電気信号を音声に変換して出力する。マイクロフォン７１３とスピーカ７１４は、例えば、通話の際に使用される。
【０１００】
＜＜システムの構成＞＞
次に、本実施例に係るシステムについて説明する。図８は、本実施例に係るシステムの構成例を示す模式図である。図８に示すように、本実施例に係るシステムは、デジタルカメラ１００、ウェアラブル機器２００、及び、スマートフォン７００を有する。
破線矢印８００は、デジタルカメラ１００とスマートフォン７００との間の無線通信が行われている状態を示す。破線矢印８０１は、スマートフォン７００とウェアラブル機器２００との間の無線通信が行われている状態を示す。
【０１０１】
スマートフォン７００は、無線通信によってデジタルカメラ１００との情報の送受信を行い、受信した情報をスマートフォン７００の表示部７０６に表示する。例えば、スマー
トフォン７００は、デジタルカメラ１００に関する情報を、デジタルカメラ１００から受信し、表示部７０６に表示する。また、スマートフォン７００は、デジタルカメラ１００に関する情報を無線通信によってウェアラブル機器２００に送信することもできる。これにより、スマートフォン７００は、デジタルカメラ１００とウェアラブル機器２００との間を仲介する。ウェアラブル機器２００は、受信した情報を表示部２０６に表示することができる。
【０１０２】
＜＜処理フロー＞＞
次に、本実施例に係る処理フローについて説明する。デジタルカメラ１００の処理フローは、実施例１（図４（Ａ））と同じである。但し、図４（Ａ）の説明において、「ウェアラブル機器２００」は「スマートフォン７００」に読み替えられる。また、Ｓ４０５にて、電源制御部１０７と記録媒体Ｉ／Ｆ１０９に対する電力供給が停止されないように、デジタルカメラ１００の電源状態がＯＮ状態からＯＦＦ状態に制御される。
【０１０３】
スマートフォン７００がデジタルカメラ１００から所定の情報を受信する際のスマートフォン７００の処理フローは、実施例１におけるウェアラブル機器２００の処理フロー（図４（Ｂ））と同じである。図４（Ｂ）の説明において、ウェアラブル機器２００をスマートフォン７００に読み替え、且つ、ウェアラブル機器２００の機能部をスマートフォン７００の機能部に適宜読み替えた処理が、スマートフォン７００によって行われる。但し、スマートフォン７００の制御部７０１は、図４（Ｂ）の処理フローを実行した後、記録媒体７１０に記録した情報を、通信部７１１を介してウェアラブル機器２００に送信する。なお、Ｓ４５１とＳ４５２にて記録媒体７１０に記録された全ての情報がウェアラブル機器２００に送信されてもよいし、Ｓ４５１とＳ４５２にて記録媒体７１０に記録された情報の一部がウェアラブル機器２００に送信されてもよい。例えば、デジタルカメラ１００からスマートフォン７００に送信された情報の一部が、スマートフォン７００からウェアラブル機器２００に送信されなくてもよい。不揮発性メモリ７０３が記憶しているプログラムを制御部７０１が読み込んで実行することで、スマートフォン７００の処理が実現される。
【０１０４】
ウェアラブル機器２００がスマートフォン７００から所定の情報を受信する際のウェアラブル機器２００の処理フローは、実施例１（図４（Ｂ））と同じである。図４（Ｂ）の説明において、デジタルカメラ１００をスマートフォン７００に読み替え、且つ、デジタルカメラ１００の機能部をスマートフォン７００の機能部に適宜読み替えた処理が、ウェアラブル機器２００によって行われる。
【０１０５】
次に、ウェアラブル機器２００がデジタルカメラ１００に関する情報をユーザに通知する際のウェアラブル機器２００の処理フローについて、図９（Ａ）を用いて説明する。制御部２０１は、例えば、デジタルカメラ１００に関する情報をユーザに通知する指示を検知した場合に、図９（Ａ）の処理フローを開始する。本実施例では、スマートフォン７００は、デジタルカメラ１００に関する情報を受信するたびに、受信した情報をウェアラブル機器２００へ転送する。そして、ウェアラブル機器２００は、デジタルカメラ１００に関する情報をユーザに通知する指示が行われたタイミングにおいて、デジタルカメラ１００に関する情報をスマートフォン７００に要求することはしない。なお、デジタルカメラ１００に関する情報をウェアラブル機器２００が受信するタイミングは、特に限定されない。
【０１０６】
まず、Ｓ９００にて、制御部２０１は、デジタルカメラ１００に関する情報（所定の情報を含む）を記録媒体２１０が記憶しているか否かを判断する。つまり、図５のＳ５０５と同じ処理が行われる。デジタルカメラ１００に関する情報を記録媒体２１０が記憶している場合には、Ｓ９０１に処理が進められ、デジタルカメラ１００に関する情報を記録媒
体２１０が記憶していない場合には、Ｓ９０２に処理が進められる。
【０１０７】
Ｓ９０１にて、制御部２０１は、デジタルカメラ１００に関する情報を記録媒体２１０から読み出し、読み出した情報をユーザに通知する。つまり、図５のＳ５０６と同じ処理が行われる。その後、本処理フローが終了される。
【０１０８】
Ｓ９０２にて、制御部２０１は、デジタルカメラ１００に関する情報が存在しないことをユーザに通知する。つまり、図５のＳ５０７と同じ処理が行われる。その後、本処理フローが終了される。
【０１０９】
次に、デジタルカメラ１００の電源状態がＯＦＦ状態である期間におけるデジタルカメラ１００の処理フローについて、図９（Ｂ）を用いて説明する。
【０１１０】
まず、Ｓ９５０にて、制御部１０１は、所定の状態変化が生じたか否かを判断する。所定の状態変化が生じるまでＳ９５０の処理が繰り返され、所定の状態変化が生じると、Ｓ９５１に処理が進められる。所定の状態変化は、所定の情報の変化をまねく状態変化である。そのため、「所定の状態変化が生じたか否かを判断する処理」は、「所定の情報が変化したか否かを判断する処理」と言うこともできる。本実施例では、制御部１０１は、電源制御部１０７と記録媒体Ｉ／Ｆ１０９を監視することにより、電源部１０８の交換（取り外しと装着）と、記録媒体１１０の交換との少なくとも一方が生じたか否かを判断する。電源部１０８の交換と記録媒体１１０の交換との少なくとも一方が生じるまでＳ９５０の処理が繰り返され、電源部１０８の交換と記録媒体１１０の交換との少なくとも一方が生じると、Ｓ９５１に処理が進められる。
【０１１１】
Ｓ９５１にて、制御部１０１は、デジタルカメラ１００の電源状態を、外部への情報の送信が実行可能な状態である送信可能状態に制御する。本実施例では、制御部１０１は、デジタルカメラ１００の電源状態をＯＮ状態に制御する。具体的には、制御部１０１は、デジタルカメラ１００の全ての機能部への電力供給の開始を、電源制御部１０７に指示する。それにより、デジタルカメラ１００の全ての機能部への電力供給が開始され、デジタルカメラ１００の電源状態がＯＦＦ状態からＯＮ状態に変わる。また、通信部１１１の通信状態が通信無効状態から通信有効状態に変わる。このように、本実施例では、所定の情報の変化（所定の状態変化）が検出された場合に、デジタルカメラ１００の電源状態が、一時的にＯＮ状態（送信可能状態）に制御される。次に、Ｓ９５２にて、制御部１０１は、デジタルカメラ１００とスマートフォン７００との間の無線通信接続を確立するために必要な所定の処理（接続処理）を開始する。
【０１１２】
なお、送信可能状態は、ＯＮ状態とは異なる電源状態であってもよい。送信可能状態は、少なくとも通信部１１１へ電力が供給される電源状態であればよい。即ち、送信可能状態は、通信部１１１の通信有効状態を実現できる電源状態であればよい。例えば、送信可能状態は、通信部１１１へのみ電力が供給される電源状態であってもよい。送信可能状態は、所定の状態変化に影響をもたらす機能部と、通信部１１１とにのみ電力が供給される電源状態であってもよい。
【０１１３】
そして、Ｓ９５３にて、制御部１０１は、デジタルカメラ１００とスマートフォン７００との間の無線通信接続が確立したか否かを判断する。即ち、制御部１０１は、デジタルカメラ１００とスマートフォン７００との間の無線通信が可能であるか否かを判断する。デジタルカメラ１００とスマートフォン７００との間の無線通信接続が確立するまでＳ９５３の処理が繰り返され、デジタルカメラ１００とスマートフォン７００との間の無線通信接続が確立すると、Ｓ９５４に処理が進められる。
【０１１４】
Ｓ９５４にて、制御部１０１は、通信部１１１を介してスマートフォン７００に、デジタルカメラ１００に関する情報として、所定の状態変化に起因した変化後の所定の情報を送信する。ここで送信された情報は、スマートフォン７００からウェアラブル機器２００に転送され、ウェアラブル機器２００の記録媒体２１０に記録される。その結果、変化後の所定の情報をユーザがウェアラブル機器２００で確認できるようになる。
【０１１５】
なお、Ｓ９５４で送信される情報の種類は特に限定されない。例えば、所定の状態変化によって変化した情報のみが送信されてもよい。具体的には、電源部１０８の交換が行われた場合には、電源部１０８に関する情報のみが送信されてもよい。記録媒体１１０の交換が行われた場合には、記録媒体１１０に関する情報のみが送信されてもよい。所定の状態変化によって変化しなかった情報を含む情報が送信されてもよい。
【０１１６】
次に、Ｓ９５５にて、制御部１０１は、通信部１１１の通信状態を通信有効状態から通信無効状態に制御する。そして、Ｓ９５６にて、制御部１０１は、デジタルカメラ１００の電源状態をＯＮ状態からＯＦＦ状態に制御する。このときも、ＯＦＦ状態として、外部装置との通信が実行不可能で、且つ、所定の情報の変化の検出が実行可能な状態が実現される。
【０１１７】
以上述べたように、本実施例でも、実施例１と同様に、通信装置の電源が落とされる際に、通信装置から外部装置へ所定の情報が送信される。そして、外部装置では、所定の情報が記憶部に記録される。これにより、様々な情報をユーザに容易かつ確実に通知することが可能となり、且つ、装置の消費電力を低減することが可能となる。
【０１１８】
また、本実施例によれば、通信装置は、通信装置の電源状態がＯＦＦ状態である期間において、所定の情報の変化（具体的には、所定の情報の変化をまねく状態変化）を検出することができる。そして、所定の情報の変化が検出された場合に、通信装置の電源状態が一時的に送信可能状態に制御され、通信装置の電源状態が一時的な送信可能状態である期間に、変化後の所定の情報が外部装置に送信される。これにより、外部装置は、通信装置に関するより正確な情報をユーザに通知することができる。例えば、通信装置の電源状態をＯＦＦ状態からＯＮ状態に変更するユーザ操作などを必要とせずに、外部装置は、通信装置に関する正確な情報（変化後の所定の情報）をユーザに通知することができる。また、送信可能状態は一時的な状態であり、送信可能状態の後にＯＦＦ状態に戻されるため、消費電力の大幅な増加をまねくことなく上記効果を得ることができる。
【０１１９】
＜実施例３＞
以下、本発明の実施例３について説明する。実施例１，２では、通信装置がデジタルカメラである場合の例を説明した。本実施例では、通信装置が自動車の車載装置（カーナビゲーション装置など）である場合の例を説明する。なお、以下では、実施例１と異なる処理や構成について詳しく説明し、実施例１と同じ処理や構成についての説明は省略する。
【０１２０】
＜＜ウェアラブル機器の構成＞＞
本実施例に係るウェアラブル機器２００の構成は、実施例１（図２）と同じである。
【０１２１】
＜＜自動車の構成＞＞
次に、本実施例に係る自動車について説明する。本実施例では、電気を燃料として使用する電気自動車を使用した例を説明する。図１０は、本実施例に係る自動車１０００の構成例を示すブロック図である。自動車１０００には、車載装置１０５０が設けられている。なお、本実施例に係る自動車は、電気自動車に限られない。例えば、ガソリンを燃料として使用するガソリン車が使用されてもよい。電気とガソリンを燃料として使用するハイブリット車が使用されてもよい。また、車載装置１０５０は、自動車１０００から取り外
して使用可能な装置であってもよいし、そうでなくてもよい。
【０１２２】
制御部１００１は、自動車１０００の動作に関わる各種モジュール（モータ１００２、ブレーキ１００３、バッテリ１００５、等）の動作を制御する。制御部１００１は、エアコン１００６の動作を制御する。制御部１００１は、ＧＰＳ情報受信部１００７から情報を取得し、取得した情報を、情報伝達部１００８を介して車載装置１０５０に送信する。さらに、制御部１００１は、バッテリ１００５から各機能部への電力供給を制御する。上述した各種制御は、例えば、操作部１００４からの指示に基づいて行われる。なお、制御部１００１として、１つのハードウェアが使用されてもよいし、複数のハードウェアが使用されてもよい。複数のハードウェアが処理を分担して実行することにより、上述した各種制御が実現されてもよい。
【０１２３】
モータ１００２は、自動車駆動用のモータであり、自身の動作状況を検出するセンサを含む。
【０１２４】
ブレーキ１００３は、自動車制動用のブレーキであり、自身の動作状況を検出するセンサを含む。
【０１２５】
操作部１００４は、自動車１０００に対するユーザ操作を受け付ける。操作部１００４は、例えば、ハンドル、サイドブレーキ、エアコン調節スイッチ、等を含む。
【０１２６】
バッテリ１００５は、蓄電池である。バッテリ１００５に蓄えられた電気は、自動車１０００の燃料として使用される。バッテリ１００５は、自身の動作を制御する制御回路と、自身の動作状況を検出するセンサとを含む。
【０１２７】
エアコン１００６は、制御部１００１からの指示に応じて、自動車１０００内への送風を行う。それにより、自動車１０００の室内温度が調節される。エアコン１００６は、自身の動作状況を検出するセンサを含む。
【０１２８】
ＧＰＳ情報受信部１００７は、衛星から送信されるＧＰＳ（Ｇｌｏｂａｌ  Ｐｏｓｉｔｉｏｎｉｎｇ  Ｓｙｓｔｅｍ）情報を受信するアンテナである。ＧＰＳ情報受信部１００７は、受信したＧＰＳ情報を制御部１００１に送信する。ＧＰＳ情報受信部１００７では、自動車１０００の位置を示すＧＰＳ情報が受信される。
【０１２９】
情報伝達部１００８は、制御部１００１からの情報を定期的に車載装置１０５０に送信する。例えば、情報伝達部１００８は、制御部１００１からのＧＰＳ情報を車載装置１０５０に伝達する。制御部１００１は、上述した各種センサの検出結果を取得し、情報伝達部１００８に送信することもできる。そのため、情報伝達部１００８は、上述した各種センサの検出結果を車載装置１０５０に送信することもできる。
【０１３０】
車載装置１０５０は、自動車１０００に関する情報をユーザ（自動車１０００の搭乗者）に通知する。例えば、車載装置１０５０は、ＧＰＳ情報に基づき自動車１０００の位置と、その周辺の地図とを画面に表示する。また、車載装置１０５０は、外部装置と通信を行うことができ、外部装置との間で自動車１０００に関わる情報の送受信を行うことができる。
【０１３１】
制御部１０５１は、制御部１０５１に入力された信号、後述のプログラム、等に従って、車載装置１０５０の各機能部の処理を制御する。なお、制御部１０５１として、１つのハードウェアが使用されてもよいし、複数のハードウェアが使用されてもよい。複数のハードウェアが処理を分担して実行することにより、車載装置１０５０の処理が制御されて
もよい。本実施例では、制御部１０５１は、自動車１０００の駆動状態に応じて、車載装置１０５０の電源状態を制御する。即ち、自動車１０００の駆動状態は、車載装置１０５０の電源状態に連動する。具体的には、自動車１０００の駆動の開始に応じて、車載装置１０５０の電源状態がＯＦＦ状態からＯＮ状態に制御され、自動車１０００の駆動の終了に応じて、車載装置１０５０の電源状態がＯＮ状態からＯＦＦ状態に制御される。なお、車載装置１０５０の電源状態の制御方法は、特に限定されない。
【０１３２】
不揮発性メモリ１０５２は、種々のデータを電気的に記憶可能なメモリである。制御部１０５１は、不揮発性メモリ１０５２にデータを記録したり、不揮発性メモリ１０５２からデータを消去したり、不揮発性メモリ１０５２からデータを読み出したりすることができる。不揮発性メモリ１０５２には、例えば、制御部１０５１によって実行されるプログラム等が記録される。
【０１３３】
作業用メモリ１０５３は、種々のデータを電気的に記憶可能なメモリである。作業用メモリ１０５３は、表示部１０５５の処理（画像表示）用のワークメモリ、情報取得部１０５８によって取得された情報を一時的に記憶するバッファメモリ、制御部１０５１の処理用のワークメモリ、等として使用される。
【０１３４】
操作部１０５４は、車載装置１０５０に対するユーザ操作を受け付ける。操作部１０５４は、ユーザ操作に応じた操作信号を制御部１０５１に出力する。そして、制御部１０５１は、操作信号に応じた処理を行う。即ち、制御部１０５１は、車載装置１０５０に対するユーザ操作に応じた処理を行う。操作部１０５４としては、例えば、表示部１０５５に地図を表示するためのボタン、自動車１０００に関する情報を表示部１０５５に表示するためのボタン、等の操作部材が使用される。また、操作部１０５４として、表示部１０５５に形成されたタッチパネルを使用することもできる。
【０１３５】
表示部１０５５は、画面に画像を表示する。表示部１０５５は、ＧＰＳ情報に基づく位置の表示、地図の表示、対話的な操作のためのグラフィック画像（文字、アイコン、等）の表示、等を行う。なお、表示部１０５５として、車載装置１０５０とは別体の表示装置が使用されてもよい。車載装置１０５０は、表示部１０５５の表示を制御する表示制御機能を有していればよい。
【０１３６】
電源制御部１０５６は、電源部１０５７の装着の有無、電源部１０５７の種類、電源部１０５７（バッテリ）のバッテリ残量、等を検出し、検出結果を制御部１０５１に通知する。また、電源制御部１０５６は、制御部１０５１からの指示に応じて、電源部１０５７から車載装置１０５０の機能部への電力供給を行ったり停止したりする。
【０１３７】
電源部１０５７は、車載装置１０５０の電源である。電源部１０５７としては、バッテリ、ＡＣアダプタ、等を使用することができる。バッテリとしては、一次電池、二次電池、等を使用することができる。一次電池としては、アルカリ電池、リチウム電池、等を使用することができ、二次電池としては、ＮｉＣｄ電池、ＮｉＭＨ電池、Ｌｉ電池、等を使用することができる。なお、車載装置１０５０の電力は、自動車１０００のバッテリ１００５から供給されてもよい。
【０１３８】
情報取得部１０５８は、自動車１０００との通信を行うインタフェースである。例えば、情報取得部１０５８は、自動車１０００の情報伝達部１００８から自動車１０００に関する情報を取得する。本実施例では、情報取得部１０５８は、自動車１０００が駆動しているか否かの情報を、車載装置１０５０の電源状態にかかわらず取得することができる。
【０１３９】
通信部１０５９は、制御部１０１からの指示に応じて、外部装置との通信を行うインタ
フェースである。車載装置１０５０は、通信部１０５９を介して、外部装置との間のデータの送受信を行うことができる。本実施例では、車載装置１０５０と外部装置との間の通信として、ＩＥＥＥ８０２．１５.１規格に従った通信（いわゆるＢｌｕｅｔｏｏｔｈ（
登録商標）での通信）が行われる。なお、通信方式は、Ｂｌｕｅｔｏｏｔｈ（登録商標）に限られない。例えば、車載装置１０５０と外部装置との間の通信として、ＩＥＥＥ８０２．１１規格で知られる無線ＬＡＮでの通信が行われてもよいし、赤外線通信が行われてもよい。ＷｉｒｅｌｅｓｓＵＳＢでの通信が行われてもよい。通信プロトコルとして、独自のプロファイルが使用されてもよいし、そうでなくてもよい。接続対象の外部装置は、どのような方法で認証されてもよい。本実施例では、制御部１０５１により、ペアリングが事前に行われ、ペアリングの結果が不揮発性メモリ１０５２に記録される。そして、制御部１０５１は、ペアリングの結果を不揮発性メモリ１０５２から読み出して参照することで、接続対象の外部装置を認証する。ペアリングの結果は、例えば、接続対象の外部装置の固有情報である。
【０１４０】
なお、車載装置１０５０は、外部装置との通信を行う際の通信モードとして、ペリフェラルモードとセントラルモードを有する。セントラルモードは、車載装置１０５０をサーバ装置として動作させる通信モードである。セントラルモードでは、例えば、車載装置１０５０の動作に影響するデータが、クライアント装置として動作する外部装置から受信される。ペリフェラルモードは、車載装置１０５０をクライアント装置として動作させる通信モードである。ペリフェラルモードでは、例えば、サーバ装置として動作する外部装置の動作に影響するデータが、当該外部装置に送信される。
【０１４１】
＜＜システムの構成＞＞
次に、本実施例に係るシステムについて説明する。本実施例に係るシステムは、車載装置１０５０を含む自動車１０００と、ウェアラブル機器２００とを有する。車載装置１０５０は、自動車１０００に関する情報を、自動車１０００から定期的に取得する。そして、車載装置１０５０は、ウェアラブル機器２００と通信を行い、自動車１０００に関する情報をウェアラブル機器に送信する。ユーザは、自動車１０００に関する情報をウェアラブル機器２００で確認することができる。本実施例に係るシステムの構成は、実施例１（図３）のデジタルカメラ１００を自動車１０００に置き換えた構成である。なお、車載装置１０５０からウェアラブル機器２００に送信される情報は、自動車１０００に関する情報に限らない。車載装置１０５０からウェアラブル機器２００に送信される情報は、車載装置１０５０に関する情報を含んでいてもよい。例えば、車載装置１０５０からウェアラブル機器２００に送信される情報は、電源部１０５７のバッテリ残量を示す情報を含んでいてもよい。そして、自動車１０００に関する情報をユーザがウェアラブル機器２００で確認できてもよい。
【０１４２】
＜＜処理フロー＞＞
次に、本実施例に係る車載装置１０５０の処理フローについて、図１１（Ａ），１１（Ｂ）を用いて説明する。ウェアラブル機器２００の処理フローは、実施例２（図４（Ｂ）と図９（Ａ））と同じであるため、その説明は省略する。図１１（Ａ），１１（Ｂ）の処理フローは、不揮発性メモリ１０５２が記憶しているプログラムを制御部１０５１が読み込んで実行することで、実現される。まず、図１１（Ａ）を用いて、自動車１０００の駆動が停止されて車載装置１０５０の電源が落とされる際の車載装置１０５０の処理フローの一例について説明する。図１１（Ａ）の処理フローは、自動車１０００が駆動しており、且つ、車載装置１０５０の電源状態がＯＮ状態である場合に行われる。
【０１４３】
車載装置１０５０は、自動車１０００に関する情報を取得すると、自動車１０００に関する情報をウェアラブル機器２００に送信する。例えば、車載装置１０５０は、自動車１０００に関する情報が変化するたびに、自動車１０００に関する情報を自動車１０００か
ら取得する。また、車載装置１０５０は、自動車１０００の駆動が停止して車載装置１０５０の電源状態がＯＦＦ状態になる場合にも、自動車１０００に関する情報をウェアラブル機器２００に送信する。実施例２と同様に、ウェアラブル機器２００は、受信した情報をユーザに通知することができる。
【０１４４】
まず、Ｓ１１００にて、制御部１０５１は、自動車１０００からの情報（自動車１０００に関する情報）を待つ。そして、情報伝達部１００８と情報取得部１０５８とを介して自動車１０００から車載装置１０５０（制御部１０５１）に情報が送信されると、Ｓ１１０１に処理が進められる。
【０１４５】
Ｓ１１０１にて、制御部１０５１は、Ｓ１１００にて取得された情報を、作業用メモリ１０５３に記録する。
【０１４６】
そして、Ｓ１１０２にて、制御部１０５１は、車載装置１０５０とウェアラブル機器２００との間の通信の状態がシステム通信有効状態（通信可能な状態）であるか否かを判断する。通信状態がシステム通信有効状態である場合には、Ｓ１１０３に処理が進められ、通信状態がシステム通信無効状態（通信不可能な状態）である場合には、Ｓ１１０４に処理が進められる。
【０１４７】
Ｓ１１０３にて、制御部１０５１は、Ｓ１１０１にて取得した情報を、通信部１０５９を介してウェアラブル機器２００に送信する。その後、Ｓ１１０４に処理が進められる。なお、Ｓ１１０１にて取得された全ての情報がＳ１１０３にて送信されてもよいし、Ｓ１１０１にて取得された情報の一部がＳ１１０３にて送信されてもよい。Ｓ１１０３にて送信された情報に、Ｓ１１０１にて取得された情報とは異なる情報（例えば、車載装置１０５０に関する情報）が含まれていてもよい。
【０１４８】
Ｓ１１０４にて、制御部１０５１は、自動車１０００の駆動が停止したか否かを判断する。自動車１０００の駆動が停止したか否かは、Ｓ１１００にて取得された情報を用いて判断できる。自動車１０００の駆動が停止した状態は、制御部１００１が自動車１０００の各モジュールの動作が停止した状態であり、モータ１００２が停止した状態である。自動車１０００の駆動が停止した場合には、Ｓ１１０５に処理が進められ、自動車１０００の駆動が停止していない場合には、Ｓ１１００に処理が戻される。
【０１４９】
Ｓ１１０５にて、制御部１０５１は、車載装置１０５０とウェアラブル機器２００との間の通信の状態がシステム通信有効状態であるか否かを判断する。通信状態がシステム通信有効状態である場合には、Ｓ１１０６に処理が進められ、通信状態がシステム通信無効状態である場合には、Ｓ１１０８に処理が進められる。
【０１５０】
Ｓ１１０６にて、制御部１０５１は、所定の情報を、通信部１０５９を介してウェアラブル機器２００に送信する。その後、Ｓ１１０７に処理が進められる。なお、所定の情報は、Ｓ１１０１にて取得された全ての情報を含んでいてもよいし、Ｓ１１０１にて取得された情報の一部のみを含んでいてもよい。Ｓ１１０６の処理が行われるタイミングで自動車１０００に関する情報が新たに取得され、新たに取得された情報の一部または全部を含む情報が、所定の情報として送信されてもよい。所定の情報は、Ｓ１１０１にて取得された情報とは異なる情報（例えば、車載装置１０５０に関する情報）を含んでいてもよい。所定の情報は、例えば、バッテリ１００５のバッテリ残量を示す情報、自動車１０００の室内温度を示す情報、ＧＰＳ情報、電源部１０５７のバッテリ残量を示す情報、等を含む。
【０１５１】
Ｓ１１０７にて、制御部１０５１は、ウェアラブル機器２００との通信を終了する。換
言すれば、制御部１０５１は、車載装置１０５０をウェアラブル機器２００から切断する。その後、Ｓ１１０８に処理が進められる。
【０１５２】
Ｓ１１０８にて、制御部１０５１は、通信部１０５９の通信状態を通信有効状態から通信無効状態に制御する。そして、Ｓ１１０９にて、制御部１０５１は、車載装置１０５０の電源状態をＯＮ状態からＯＦＦ状態に制御する。その後、本処理フローが終了される。
【０１５３】
次に、図１１（Ｂ）を用いて、自動車１０００の駆動が開始されて車載装置１０５０の電源が入れられる際の車載装置１０５０の処理フローの一例について説明する。図１１（Ｂ）の処理フローは、自動車１０００が駆動しておらず、且つ、車載装置１０５０の電源状態がＯＦＦ状態である場合に行われる。
【０１５４】
まず、Ｓ１１５０にて、制御部１０５１は、自動車１０００の駆動の開始を待つ。自動車１０００の駆動の開始は、情報取得部１０５８によって情報伝達部１００８から取得される情報を監視することで、検出できる。自動車１０００の駆動が開始すると、Ｓ１１５１に処理が進められる。Ｓ１１５１にて、制御部１０５１は、車載装置１０５０の電源状態をＯＦＦ状態からＯＮ状態に制御する。そして、Ｓ１１５２にて、制御部１０５１は、通信部１０５９の通信状態を通信無効状態から通信有効状態に制御する。その後、本処理フローが終了される。
【０１５５】
一般的に、自動車１０００を降りたユーザは自動車１０００から離れ、ウェアラブル機器２００と車載装置１０５０との間の無線通信が実行不可能となる。そのため、そのような状況での車載装置１０５０の無線通信機能を有効化は、無駄な電力消費をまねく。本実施例では、上述したように、車載装置１０５０の電源状態と通信状態は、自動車１０００の駆動状態に同期する。これにより、ＯＮ状態への電源状態の制御と、通信有効状態への通信状態の制御とが自動車１０００の駆動中に限って行われるため、無駄な電力消費の発生を抑制することができる。
【０１５６】
以上述べたように、本実施例によれば、車載装置の電源が落とされる際に、車載装置からウェアラブル機器へ所定の情報が送信される。そして、ウェアラブル機器では、所定の情報が記憶部に記録される。これにより、様々な情報をユーザに容易かつ確実に通知することが可能となり、且つ、装置の消費電力を低減することが可能となる。具体的には、車載装置とウェアラブル機器との間の通信が実行不可能な状態でも、ユーザが車載装置や自動車に関する情報をウェアラブル機器で容易に確認できるようになる。本実施例では、車載装置とウェアラブル機器との間の通信が実行可能な状態を維持する必要がないため、システムの消費電力を低減することができる。
【０１５７】
なお、ガソリンタンクと、ガソリンの残量を検出する残量検出部とを有するガソリン車が使用される場合には、自動車に関する情報として、ガソリンの残量を示す情報が使用されてもよい。
【０１５８】
以上、本発明をその好適な実施形態に基づいて詳述してきたが、本発明はこれら特定の実施形態に限られるものではなく、本発明の要旨を逸脱しない範囲の様々な形態も本発明に含まれる。上述の実施例の一部を適宜組み合わせてもよい。
【０１５９】
例えば、歩数をカウントする機能を有する通信装置が使用されてもよい。具体的には、通信装置として歩数計が使用され、歩数計を外した際に歩数計の電源状態がＯＮ状態からＯＦＦ状態に制御されてもよい。そのような場合には、ユーザは、歩数計を確認しなくても、ウェアラブル機器などの外部装置で歩数計に関する情報（例えば、カウントされた歩数）を確認することができる。また、放送番組を録画する機能、放送番組の録画予約を行
う機能、等を有する通信装置が使用されてもよい。具体的には、通信装置として録画装置が使用されてもよい。そして、通信装置から外部装置に、録画予約の状況を示す情報が送信されてもよい。そのような場合には、ユーザは、録画装置を操作しなくても、外部装置で録画予約の状況を確認することができる。このように、通信装置として様々な装置を使用することができ、情報（所定の情報）として様々な情報を使用することができる。
【０１６０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１６１】
１００：デジタルカメラ  １０５０：車載装置  １０１，１０５１：制御部
１０７，１０５６：電源制御部  １１１，１０５９：通信部
【図１】
2017092865.tif 000003
【図２】
2017092865.tif 000004
【図３】
2017092865.tif 000005
【図４】
2017092865.tif 000006
【図５】
2017092865.tif 000007
【図６】
2017092865.tif 000008
【図７】
2017092865.tif 000009
【図８】
2017092865.tif 000010
【図９】
2017092865.tif 000011
【図１０】
2017092865.tif 000012
【図１１】
2017092865.tif 000013